(57)【要約】【課題】ローラーアーム、またはおよび上部または下部フレームに変形が生じても、引き込まれるローラーが平行に接触するようにすることで、ローディングおよび排出エラーが発生しないようにした車両用コンパクトディスクプレーヤーのローディング装置を提供する。【解決手段】本体の入口に、駆動モータにより回転されるように取り付けられるローラー軸と一体的に設けられるローラーと、前記ローラーを上下に移動可能に支持するため、メインフレームに連結されるローラーアームと、前記ローラーアームと前記ローラー軸を一体的に連結する連結部材と、前記ローラー軸を上下方向に駆動するため、前記メインフレームの両端に設けられた駆動部とを含んでなる。【選択図】図４
2006012372.tif 000002
【特許請求の範囲】
【請求項１】
本体の入口に、駆動モータにより回転されるように取り付けられるローラー軸と一体的に設けられるローラーと、
前記ローラーを上下に移動可能に支持するため、メインフレームに連結されるローラーアームと、
前記ローラーアームと前記ローラー軸を一体的に連結する連結部材と、
前記ローラー軸を上下方向に駆動するため、前記メインフレームの両端に設けられた駆動部とを含んでなることを特徴とする車両用コンパクトディスクプレーヤーのローディング装置。
【請求項２】
前記ローラーアームの固定軸の一端は前記メインフレームの一方の側の結合孔に結合手段で固定され、前記ローラーアームの固定軸の他端は前記メインフレームの他側長孔に上下方向に所定量遊動可能に結合され、前記長孔に結合される前記ローラーアームの固定軸の遊動により、ディスクの引込みにより前記ローラーアームおよび上下部フレームで発生し得る所定量の組立誤差を収容することを特徴とする請求項１記載の車両用コンパクトディスクプレーヤーのローディング装置。
【請求項３】
前記ローラーは前記ローラー軸上で回転しながらスリップするように構成されることを特徴とする請求項１記載の車両用コンパクトディスクプレーヤーのローディング装置。
【請求項４】
前記ローラーアームと前記ローラー軸を一体的に連結する連結部材はローラーブッシングであることを特徴とする請求項１記載の車両用コンパクトディスクプレーヤーのローディング装置。
【請求項５】
前記ローラーブッシングは、両側壁間に凹溝が形成され、前記両側壁の一方の側壁に所定形状の連結部が設けられ、この連結部の一側面には所定形状の固定突起が設けられることを特徴とする請求項４記載の車両用コンパクトディスクプレーヤーのローディング装置。
【請求項６】
前記ローラーブッシングはローラー軸に結合され、前記ローラーブッシングの両側壁間に形成された凹溝にローラーアームが挿入され、前記ローラーブッシングの連結部に設けられた固定突起は前記ローラーアームに設けられた孔に結合されることにより、前記ローラー軸とローラーアームを一体的に構成することを特徴とする請求項４または５記載の車両用コンパクトディスクプレーヤーのローディング装置。
【請求項７】
前記メインフレームの両端に設けられる前記駆動部はレバー部と弾性手段とからなることを特徴とする請求項１記載の車両用コンパクトディスクプレーヤーのローディング装置。
【請求項８】
前記弾性手段は線スプリングまたは板スプリングであることを特徴とする請求項７記載の車両用コンパクトディスクプレーヤーのローディング装置。
【請求項９】
前記左右側レバー部は、
前記レバー部が前記メインフレームの両端でスライドできるようにするため、前記メインフレームの両側面に形成された所定数の連結突起に連結される所定数のスライド孔と、
ディスクの排出およびローディングの際、前記ローラー軸が上下方向に移動できるように形成されたＳ字形のカム孔と、
前記ローラー軸が前記Ｓ字形のカム孔の上端に位置するとき、前記ローラー軸に上方向の弾性力を与えるための弾性手段を固定するための所定数の固定突出部とを含み、
前記右側レバー部は、駆動モータにより駆動されるため、前記メインフレームの一方の側に形成されたラックギヤと結合するラックギヤ結合孔を有することを特徴とする請求項７記載の車両用コンパクトディスクプレーヤーのローディング装置。
【請求項１０】
前記左右側レバー部は、ローラーアームの下方に設けられる対称アームにより共に駆動されることを特徴とする請求項９記載の車両用コンパクトディスクプレーヤーのローディング装置。
【発明の詳細な説明】
【技術分野】
【０００１】
本発明は車両用コンパクトディスクプレーヤーのローディング装置に関する。さらに詳しくはローラーアームおよび上下部フレームが変形しても、引き込まれるかまたは排出(eject)されるディスクにローラーが平行に接触するようにした車両用コンパクトディスクプレーヤーのローディング装置に関するものである。
【背景技術】
【０００２】
一般に、車両用コンパクトディスクプレーヤーは、ディスクに記録された情報を光学系を用いて再生する装置である。
【０００３】
このような車両用コンパクトディスクプレーヤーのローディング装置の基本的な構成を見ると、ディスクが装着されるターンテーブルと、プレーヤーの入口に挿入されるディスクをプレーヤーの内部に引き込んでターンテーブルに装着させるローディング装置と、ターンテーブルを回転させる駆動装置と、ターンテーブルが回転するとき、光ディスクが離脱することを防止するクランプ装置と、光ディスクの半径方向に直線往復運動しながら、光ディスクに収録された情報を再生するか、あるいは光ディスクに情報を記録する光ピックアップ装置と、光ピックアップ装置を往復運動させる移送手段とを含んでなる。
【０００４】
図１および図２は従来の車両用コンパクトディスクプレーヤーのローディング装置を示す。
【０００５】
同図に示すように、従来の車両用コンパクトディスクプレーヤーのローディング装置は、摩擦力でディスクを本体１０内に引き込むローラー４０と、このローラー４０を上下遊動可能に支持するローラーアーム５０とからなって、本体１０の入口に取り付けられる。
【０００６】
本体１０は上部フレームアセンブリ３０と下部フレームアセンブリ２０とに区分され、この両アセンブリが組み立てられると、正面にディスクが挿入される入口１２が形成される。入口１２の一方の側には駆動モータ２２が設けられ、駆動モータ２２のモータ軸２２ａは本体１０の一方の側に延長され、モータ軸２２ａの端部には駆動ギヤ２４が結合される。
【０００７】
本体１０の両側には、入口１２に隣接した前部にローラーアーム５０の両端が回転可能に支持されるように、支持切欠部２６が形成され、支持切欠部から所定の間隔を置いた後部には、ローラー４０の両端が回転可能に支持されるように、長切欠部２８が形成される。この際、長切欠部２８は支持切欠部２６を中心とする円弧状を有するように形成される。
【０００８】
ローラー４０は、本体１０の入口１２を通って引き込まれるディスクがローラーの中心に移動するように、外側端部から中間部に行くほどに直径が小さくなる対称テーパー状を有し、ローラー４０の中心にはローラー軸４２が分離可能に押し込まれている。
【０００９】
ローラー軸４２の両端は本体１０の長切欠部２８に収容され、ローラー４０を回転可能に支持する。この際、ローラー軸４２の両端にはブッシング４４が結合され、ブッシング(bushing)が結合されたままで本体１０の長切欠部２８に差し込まれて、ローラー軸４２の回転の際、摩擦騒音が発生しないようにする。また、ローラー軸４２の一端には従動ギヤ４６が結合されて共に回転される。
【００１０】
ローラーアーム５０は板状のもので、その両側面には本体１０の支持切欠部２６に収容される、スプリング係止部として機能する結合ピン５６が突設される。両側結合ピンの一方は外側方向にさらに長く延長され、その端部には中継ギヤ６０が結合される。この際、中継ギヤ６０は２段に形成されるが、その第１ギヤ部６２は駆動モータ２２の駆動ギヤ２４と噛み合い、第２ギヤ部６４はローラー軸４２の従動ギヤ４６と噛み合う。そして、中継ギヤ６０の外側面には、駆動モータ２２の回転力をクランプ装置に伝達するため、プーリ６６が一体的に形成されている。
【００１１】
ローラーアーム５０の先端には、２枚以上のディスクが挿入されることを防止するため、一対のディスク挿入防止突起５４が所定の間隔を置き上方に突設される。このディスク挿入防止突起５４にはゴム材のプロテクタ５５が嵌合される。また、ローラーアーム５０の先端両側にはスプリング係止部５６が形成され、スプリング係止部５６と対応する本体１０の前部両側にはスプリング連結孔２９が形成される。スプリング係止部５６とスプリング連結孔２９間にはスプリング７０が弾力的に設けられる。
【００１２】
ローラーアーム５０の後部両側には組立片５８が後方に延長され、この組立片５８には後方に開放された組立切欠部５８ａが形成される。この組立切欠部５８ａには、ローラー軸４２に嵌合されたブッシング４４が挿合されるので、ローラー４０とローラーアーム５０は共に作動する。
【００１３】
すなわち、ディスクが引き込まれると、ディスクの厚さだけローラー４０が本体１０の長切欠部２８に沿って下降し、ローラー４０に組立片５８を介して連結されたローラーアーム５０は、ローラー４０が下降する距離だけ結合ピン５６を中心に下方に回転する。そして、ディスクがターンテーブル１に装着されるかあるいは外部に排出されると、ローラーアーム５０の両端に設けられたスプリング７０の復元力により、ローラー４０が上方に移動する。このように構成された従来のローディング装置は、駆動モータ２２のモータ軸２２ａが回転すると、この回転力は駆動ギヤ２４を介して中継ギヤ６０に伝達され、中継ギヤ６０の回転力は従動ギヤ４６に伝達されて、従動ギヤ４６を回転させるので、ローラー４０が回転される。すなわち、駆動モータ２２が正回転すると、ローラー４０はディスクを本体１０内に引き込む方向に回転し、駆動モータ２２が逆回転すると、ローラー４０はディスクを排出させる方向に回転する。
【００１４】
しかし、このように構成された従来の車両用コンパクトディスクプレーヤーのローディング装置は、ローラーアーム５０が単一部品からなっているため、ローラーアーム５０の一端が曲げ変形するか、あるいはローラーアーム５０が取り付けられる上部フレームアセンブリ３０および下部フレームアセンブリ２０の部分が変形すると、ローラー４０が上部フレームアセンブリ３０に対して平行に配置されない。これにより、ローディングの際、ローラー４０がディスクに平行に接触しないので、ディスクの挿入および排出の際、エラーが発生する問題点があった。
【００１５】
すなわち、ローラー４０が上部フレームアセンブリ３０に対して平行でないと、ディスクが挿入されるとき、ディスクの一部にはローラー４０が接するが、対称部にはローラー４０が接しないため、ディスクが本体１０内に円滑に引き込まれなく、同じ位置で回転するので、排出エラーが発生する。
【００１６】
また、ディスクがローラー４０に平行に接しないと、排出力が所定の要求値に達しないため、工程不良だけでなく製品性能の低下が発生し、信頼度が低下する欠点があった。
【００１７】
このような問題点を解決するための方法として、前記ローラーアームを二分割して、ローラーアームが別々に作動できるようにすることにより、ディスクの挿入時に発生するエラーを最小にした車両用コンパクトディスクプレーヤーのローディング装置が知られている（例えば、特許文献１参照）。前記特許文献１の構成を図３に基づいて具体的に説明すると次のようである。
【００１８】
前記特許文献１の車両用コンパクトディスクプレーヤーのローディング装置は、図３に示すように、本体１０の入口に挿入されるディスクをローディングさせて、本体１０内に設けられたターンテーブル１に装着させるもので、摩擦力でディスクを本体１０内に引き込むローラー１００と、このローラー１００を上下遊動可能に支持するローラーアーム２００と、ローラーアームを弾支するスプリング２４０とからなる。
【００１９】
図３に示すように、前記ローラーアーム２００は左側ローラーアーム部２１０と右側ローラーアーム部２２０とに二分割されている。このように組み立てられた車両用コンパクトディスクプレーヤーのローディング装置は、ローラーアーム２００を左側ローラーアーム部２１０と右側ローラーアーム部２２０に二分割し、連結軸で直線上に連結し、連結軸を中心にそれぞれ所定角度だけ旋回可能に組み立てたことを特徴とする。前記特許文献１の車両用コンパクトディスクプレーヤーのローディング装置は、ローラーを支持しているローラーアームが二分割され、連結軸を中心に所定角度だけ旋回して、ローラーが常にディスクと平行に接触するようにするため、ディスクが挿入されるかまたは排出されるとき、常に一定の排出力を有し、排出エラーが発生しないので、製品の性能および信頼度が向上する効果がある。
【００２０】
しかし、このような二分割ローラーアームを使用すると、以前の構造に比べ、ローラーアームを２部分に分割することにより材料費が上昇する問題があり、さらに部品構成部の数の増加により作業工程数が増加し、部品が増加する問題が発生した。したがって、以前の部品に比べて部品数を減らしながらも同等な効果を来たし得るローディング構造が必要になった。
【００２１】
また、前記のようなローディング装置は、スプリング２４０がローラーアーム２００の先端部に装着されるが、このような構造を有するローディング装置は、前記ローラーがディスクを排出させるときだけでなくディスクが挿入された状態でも前記ローラーアームを上方に付勢する力を続けて与えるように形成されている。したがって、ディスクの排出の際、前記長切欠部を介して前記ローラーおよびローラーアームを上方に移動させるため、前記スプリングが常に作用するため、前記ローラーおよびローラーアームを駆動させるのに大きい駆動力を必要とする問題点が生じた。したがって、小さい駆動力でも前記ローラーおよびローラーアームを駆動させることができるように構成する必要があった。
【００２２】
【特許文献１】大韓民国特許登録第１０−４２７３５９号明細書
【発明の開示】
【発明が解決しようとする課題】
【００２３】
したがって、本発明は前述したような問題点を解決するためのもので、その目的は、ローラーアームに変形が生ずるか、またはローラーアームが取り付けられる上部または下部フレームに変形が生じても、引き込まれるローラーが平行に接触するようにすることで、ローディングおよび排出エラーが発生しないようにした車両用コンパクトディスクプレーヤーのローディング装置を提供することにある。
【００２４】
本発明のほかの目的は、従来の構造に比べて構成部品の数を減らすことにより、原価および作業工程を減少させ、さらにローラー軸に印加されるスプリングの弾性力を分配してローディング／排出動作の負荷を分散させることにより、性能および信頼度を向上させるための車両用コンパクトディスクプレーヤーのローディング装置を提供することにある。
【課題を解決するための手段】
【００２５】
前記のような目的を達成するため、本発明は、本体の入口に、駆動モータにより回転されるように取り付けられるローラー軸と一体的に設けられるローラーと、前記ローラーを上下に移動可能に支持するため、メインフレームに連結されるローラーアームと、前記ローラーアームと前記ローラー軸を一体的に連結する連結部材と、前記ローラー軸を上下方向に駆動するため、前記メインフレームの両端に設けられた駆動部とを含んでなる車両用コンパクトディスクプレーヤーのローディング装置を提供する。
【００２６】
前記ローラーアームの固定軸の一端は前記メインフレームの一方の側の結合孔に結合手段で固定され、前記ローラーアームの固定軸の他端は前記メインフレームの他側長孔に上下方向に所定量遊動可能に結合され、前記長孔に結合される前記ローラーアームの固定軸の遊動により、ディスクの引き込みにより前記ローラーアームおよび上下部フレームで発生し得る所定量の組立誤差を収容し、前記ローラーは前記ローラー軸上で回転しながらスリップするように構成され、前記ローラーアームと前記ローラー軸はローラーブッシングにより一体的に連結される。
【発明の効果】
【００２７】
如上のとおり、本発明によると、ローラーと前記ローラーを支持しているローラーアームを一体的に構成し、前記ローラーアームを前記メインフレームに連結するとき、所定形状の長孔により、前記上下部フレームおよび前記ローラー部で発生し得る組立誤差を収容するようにして、ローラーが常にディスクと平行に接触するようにするため、ディスクが挿入されるかまたは排出されるとき、均一な排出力を有し、排出エラーが発生しなくなり、これにより製品の性能および信頼度が向上する効果がある。
【００２８】
このように、本発明は、ローラーとプレートディスクガイド間で引き込まれるディスクが常に平行に接触するため、排出力が常に均一に維持されるので、ローディング／排出の動作時にエラーが発生しなく、よって製品の工程不良率を減少させ、性能および信頼度を向上させる。
【００２９】
また、ローラー組立の際、結合部材として使用されるローラーブッシングは、前記ローラーアームに結合した後、所定量だけ回転させることで、ローラーブッシングの一方の側に設けられた固定突起を前記ローラーアームに形成された孔に固定する構造になっているので、一種の固定物（ワッシャなど）とこれを固定するための作業を省略することができるので、部品原価の節減および作業工程の簡素化ができる利点がある。
【００３０】
さらに、両側レバーに設けられたスプリングは、レバーの前後進動作に応じてローラー軸に弾性を与えるので、ディスクのローディング／排出の際、動作負荷を減らす構造となる。すなわち、ディスクが挿入または排出されるときに限り、スプリングの弾性力がローラー軸に伝達され、レバーが動作するときは、スプリングの弾性力がローラー軸に伝達されなくて、ローディング／排出の際に動作力が分散されるので、動作負荷を減らして性能および信頼性を向上させる。
【発明を実施するための最良の形態】
【００３１】
以下、添付図面に基づいて本発明を詳細に説明する。
【００３２】
図４は本発明による車両用コンパクトディスクプレーヤーのローディング装置を示す分離斜視図、図５ａは本発明によるローラーアームがメインフレームの両端に結合されることを示す分離斜視図、図５ｂおよび図５ｃは図５ａの結合状態の両側面図、図６はローラーとローラーアームの分離斜視図、図７ａおよび図７ｂはローラーブッシングの正面図および側面図、図８ａないし図８ｃはローラーブッシングによりローラーとローラーアームを結合する過程を示す側面図、図９ａおよび図９ｂはローラー軸がカム孔の上端および下端に位置して作動することを示す側面図である。以下に説明する本発明の構成は、その特徴部を中心に具体的に説明し、従来と同一部分の構成についての説明は省略する。
【００３３】
図４に示すように、本発明による車両用コンパクトディスクプレーヤーのローディング装置は、プレーヤー本体の入口に挿入されるディスクをローディングさせて、本体４００内に設けられたターンテーブル４０４に装着させるためのもので、このようなローディング装置の本体４００は、下部フレーム４０１、メインフレーム４０２、および上部フレーム４０３からなる。前記下部フレーム４０１のダンパー４０９に前記メインフレーム４０２が装着され、その上に上部フレーム４０３がさらに装着される構成からなっている。かかるディスクローディング装置は、ディスクが引き込まれる場合、前記ディスクの下面はローラー４０５、上面はプレートディスクガイド４０８に密着され、前記ローラー４０５の駆動により、前記メインフレーム４０２の内部に設けられた前記ターンテーブル４０４上に前記ディスクが装着されるようになっている。
【００３４】
前述した本発明によるディスクローディング装置は、前述したように、下部フレーム４０１、メインフレーム４０２、および上部フレーム４０３から構成され、本発明が直接関係する装置は、ローラーおよびローラーアームが一体的に形成されてメインフレームに連結される部分と、前記ローラーおよびローラーアームを一体的に連結するための連結部材と、前記ローラーおよびローラーアームを一体的に駆動させるためのレバー部にその特徴があるもので、以下では本発明の特徴部を中心に具体的に説明する。
【００３５】
すなわち、本発明によるディスクローディング装置は、摩擦力によりディスクを本体４００内に引き込むためのローラー４０５と、前記ローラー４０５と対応するプレートディスクガイド４０８と、前記ローラー４０５と一体的に形成されるローラー軸４０６と、前記ローラー４０５を上下遊動可能に支持するローラーアーム４０７と、ディスクのローディングおよび排出の際、前記ローラー４０５およびローラーアーム４０７を駆動するための駆動部とを含んでなる。
【００３６】
本発明においては、ローラー、ローラー軸およびローラーアームを一体的に形成してローラーアセンブリ４２５と称する。図５ａは本発明のローラーアセンブリ４２５とメインフレーム４０２の分離斜視図、図５ｂおよび図５ｃはローラーアセンブリ４２５とメインフレーム４０２が結合されたとき、結合部を示す両側面図である。本発明は、前記ローラーアセンブリ４２５にローラーアーム４０７を一体的に形成し、前記ローラーアセンブリ４２５と前記メインフレーム４０２の結合に際して、結合孔の変形により、従来ローラーアームを二分割した場合と同等な作用および効果を得るためのものである。したがって、このような作用および効果は、前記結合部分を次のように構成することで得ることができる。
【００３７】
前記ローラーアセンブリ４２５は前記メインフレーム４０２の両端に結合されるように形成される。前記ローラーアセンブリ４２５の両端に形成された固定軸４２６の一つはそれに対応するメインフレーム４０２の結合孔４２７に結合手段により結合され、前記ローラーアセンブリ４２５のほかの固定軸４２６は前記メインフレーム４０２の長孔４２８に上下方向に所定量だけ遊動し得るように連結される。
【００３８】
前記結合孔４２７は前記ローラーアセンブリ４２５の一方の側の固定軸４２６と結合され、ボルトおよびナットなどの固定手段により互いに結合される。前記ローラーアセンブリ４２５のほかの固定軸４２６は突出部が設けられ、前記メインフレーム４０２の一側面に形成された長孔４２８に結合される。すなわち、前記長孔４２８は上下方向に所定距離延長されているので、前記ローラーアセンブリ４２５の一方の側の固定軸のみが前記長孔４２８内で所定距離だけ動ける。
【００３９】
このような構成は、前記ローラーアセンブリ４２５を構成する前記ローラー４０５およびローラーアーム４０７に部品の変形または組立誤差が発生する場合、あるいは上下部フレームに変形などが発生する場合、前記長孔４２８内で前記ローラーアセンブリ４２５の固定軸のみが動けるようにすることにより、前記組立誤差による変形を減少させ、前記ディスクの挿入および排出の際、前記ローラー４０５とプレートディスクガイド４０８間の両側で同一密着力を維持することができる。このような長孔４２８の形成により、従来ローラーアームを二分割したものと同等な作用効果を得ることができる利点がある。
【００４０】
図６は前記ローラーアセンブリ４２５の分離斜視図である。同図に示すように、前記ローラーアセンブリ４２５は、ローラーアーム４０７と、ローラー４０５と、ローラー軸４０６とからなる。前記ローラー４０５は２本に分割され、そのそれぞれは中心側に行くほど直径が減少するテーパー状になっている。このような形状は、引き込まれるディスクを中心側に移動させるためのものである。また、前記ローラー４０５は前記ローラー軸４０６上に回転しながらスリップ可能な形状に構成され、このように一体的に構成されたローラー４０５およびローラー軸４０６は前記ローラーアーム４０７に一体的に結合される。
【００４１】
従来は、このような結合のため、ブッシングのほかにも、ワッシャなどの付加部品を用いた。したがって、従来の場合、多くの部品を使用するため、材料費の増加および組立工程の増加により工程効率が悪化する問題点が発生する。したがって、本発明においては、前記のような結合を、ただローラーブッシング４３０のみを使用して達成した。前記ローラーブッシング４３０は前記ローラー軸４０６と前記ローラーアーム４０７を一体的に結合するための結合部材であって、その具体的な形状は図７に示す。図７ａは前記ローラーブッシング４３０の正面図、図７ｂは前記ローラーブッシング４３０の側面図である。
【００４２】
図７ａおよび図７ｂに示すように、前記ローラーブッシング４３０は、両側壁４３１間に環状凹溝４３６が形成され、前記両側壁４３１の一側壁４３１に所定形状の連結部４３２が設けられ、この連結部の一側面には所定形状の固定突起４３３が設けられる。前記固定突起４３３は突出状であれば、どんな形状のものであってもかまわないが、好ましくは端部角部がラウンド処理された半球形の突出部に形成することが、その固定をより効率よくなし得る点で好ましい。
【００４３】
前述したようなローラーブッシング４３０を用いて、ローラー軸４０６とローラーアーム４０７を結合させる過程を図８ａないし図８ｃに示す。同図に基づいてローラー軸４０６とローラーアーム４０７を結合させる過程を説明すると次のようである。
【００４４】
図８ａに示すように、ローラー軸４０６に結合されたローラーブッシング４３０がローラーアーム４０７のローラーブッシング結合部４３４に矢印方向に結合され。図８ｂは、前記ローラーブッシング４３０が前記ローラーアーム４０７に結合された状態を示す。こうして結合されたローラーブッシング４３０は、図８ｃに示すように、単にその連結部４３２を回転させることで、前記ローラーアーム４０７に設けられた結合孔４３５に前記ローラーブッシング４３０の固定突起４３３を結合することにより、前記ローラー軸４０６と前記ローラーアーム４０７を結合させる。
【００４５】
前述したような過程により、前記ローラーアーム４０７とローラー軸４０６を一つのローラーブッシング４３０のみを用いて一体的に連結することにより、従来このような結合のために要求されたワッシャなどの付加部品を不要にし、さらにこのような部品数の減少により組立作業をより易くて簡便になし得るようにした。したがって、製造作業において、組立工程の効率を向上させる利点を得ることになった。
【００４６】
図９は前記メインフレーム４０２の両端に設けられた駆動部の動作を示すもので、このような駆動部の構成は図４に詳細に示した。まず、図４に基づき、前記メインフレーム４０２の両端に設けられた駆動部の構成を説明する。
【００４７】
前記駆動部はレバー部４２０と弾性手段４２１からなる。そのうち、前記弾性手段は前記ローラー軸４０６に弾性力を与えるためのもので、本発明に用いられる弾性手段は線バネまたは板バネで構成することができるが、好ましくは線スプリングを用いて構成をより簡単にすることにより、製品の効率性を増加させる。このような線スプリング４２１は、レバー部４２０に形成された所定数の固定突出部４３８により固定される。
【００４８】
前記レバー部４２０は前記メインフレーム４０２の両側に設けられ、前記メインフレーム４０２の両側に設けられる。前記メインフレーム４０２の両側面に形成された所定数の連結突起４３９は前記レバー部４２０の側面に形成された所定数のスライド孔４３７にスライド可能に結合される。ディスクの排出およびローディングの際、前記ローラー軸４０６を上下に移動するため、レバー部４２０の先端側にＳ字形のカム孔４４０が形成される。前記ローラー軸４０６が前記Ｓ字形のカム孔４４０の上端に位置するとき、前記ローラー軸４０６に上方への弾性力を与えるために設けられる弾性手段４２１を固定するための所定数の固定突出部４３８が設けられる。特に、前記右側レバー部は、駆動モータ４１３により駆動されるように、前記メインフレーム４０２の一方の側に形成されたラックギヤ４１４と結合するラックギヤ孔４４１が形成される。
【００４９】
このように構成されるレバー部４２０を有する駆動部は、ディスクのローディング／排出の際、前記レバー部４２０の前後進動作により、前記ローラー軸４０６を前記カム孔４４０に沿って上下方向に移動させる。本発明は、前記レバー部４４０を移動させる場合、前記のような動作を発生させるのに必要な動作負荷を減少させる構造になっている。
【００５０】
すなわち、従来は、ローラー軸が上端または下端にあるとき共にスプリングの弾性力を受けるように構成されているため、前記ローラー軸を駆動させるためにはかなりの駆動負荷を必要とした。しかし、本発明は、前記ローラー軸が前記カム孔４４０の上端にあるときにだけ線スプリング４２１による弾性力を受け、ディスクのローディングの際、つまりローラー軸４０６が前記カム孔４４０の下端に位置するときは、前記線スプリング４２１による弾性力を受けない構造になっているため、前記レバー部４２０を駆動させるための負荷が減少する利点がある。
【００５１】
図９ａおよび図９ｂは前記のような構成を有するレバー部４２０の作動状態を示すもので、図９ａは前記ディスクが引き込まれるかまたは排出されるとき、前記ローラー軸４０６が前記カム孔４４０の上端に位置する状態を示す。前記カム孔４４０の上端に位置する前記ローラー軸４０６には、前記弾性手段のスプリング４２１により上方向への弾性力が与えられる。この弾性力は、前記挿入または排出されるディスクが前記ローラー４０５とプレートディスクガイド４０８間に挿入され平行に駆動されるようにして、前記ディスクの挿入および排出をより容易にする効果を奏する。
【００５２】
図９ｂは、前記ディスクがローディング状態にあるとき、レバー部４２０および弾性手段４２１の動作を示す。同図に示すように、前記ローラー軸４０６は前記カム孔４４０の下端部に位置する。この場合、前記ローラー軸４０６にはスプリングの上方向弾性力が加わらないので、前記レバー部４２０の前後進動作の際、前記レバー部４２０を駆動させるのにかかる負荷を減少させることができる利点がある。
【００５３】
前述したような構成からなったコンパクトディスクプレーヤーのローディング装置の動作を図４および図９に基づいて説明すると次のようである。
【００５４】
まず、図４に示すように、ディスクをプレートディスクガイド４０８とローラー４０５間に引き込むと、引き込まれる前記ディスクの外周部がアームディスクガイド４１６のガイド４１７を押す。このように押されるガイド４１７により、スイッチアセンブリ４１５のスイッチレバー４１８が押し付けられて接点と接続され、この接続により前記駆動モータ４１３が駆動されるようになっている。
【００５５】
このような動作により駆動される駆動モータ４１３により、前記駆動モータ４１３に連結された多数のギヤ部４１２が駆動され、このギヤ部４１２は、これに連結されたローラーギヤ４１１を駆動させる。したがって、前記ローラーギヤ４１１を駆動させることにより前記ローラー４０５が回転される。前記回転するローラー４０５は、引き込まれるディスクを前記メインフレーム４０２の内部に設けられたターンテーブル４０４の上部まで移動させ、前記ディスクを正位置に装着させる。この際、前記ローラー４０５は前記カム孔４４０の上端に位置し、線スプリング４２１による上方向への弾性力を受けることにより、引き込まれるディスクを平行に駆動させることになる。また、前記ローラーアセンブリ４２５の固定軸の他端は前記メインフレーム４０２の長孔４２８にどのくらい遊動できるように結合されているので、ローラーアセンブリ４２５および上下部フレームの変形による組立誤差を減少させることができる。
【００５６】
前述したような動作により、前記ディスクは前記メインフレーム４０２に設けられた前記ターンテーブル４０４に装着され、装着されるディスクの外周部が前記メインフレーム４０２の後端上部に結合されたアームクランプ４１のレバートリガー４２４を押すことになる。前記レバートリガー４２４は、アームクランプ４１９の内部に設けられたレバーディスクセレクト４２２に回転軸４２３が固定されている。このようなレバートリガー４２４の動作により、それに連結されたラックギヤ４１４が駆動される。この際、前記ラックギヤ４１４は前記右側レバー部４２０に形成されたラックギヤ結合部４４１に結合されているので、前記右側レバー部４２０を駆動させる。
【００５７】
前記右側レバー部は前記メインフレーム４０２の先端に形成された対称アーム４１０を介して左側レバー部に連結されているので、前記右側レバー部が駆動されると、その動作は前記対称アーム４１０を介して前記左側レバー部を同時に駆動させる。このような動作により、前記レバー部４２０は、図９ｂに示すように、前記ローラー軸４０６が前記カム孔４４０の下端に位置するように駆動する。
【００５８】
このようなレバー部４２０の駆動過程が図９に示されている。図９ａはディスクの排出および引き込みの際、前記ローラー軸４０６が前記レバー部４２０のカム孔４４０の上端に位置する場合を示す。この際、前記線スプリング４２１は前記ローラー軸４０６に上方向への弾性力を与えているので、安定した排出および引き込みを可能にする。図９ｂはディスクがローディングされる場合を示すもので、前記ローラー軸４０６が前記カム孔４４０の下端部に位置する。この時は、前記線スプリング４２１が前記ローラー軸４０６に弾性力を与えなくなる。したがって、前記ローラー軸４０６を前記カム孔４４０に沿って上下方向に駆動する場合、前記ローラー軸４０６が前記カム孔４４０の上端に位置する場合にだけ弾性力が作用するので、このようなレバー部の動作を引き起こすのに小さい負荷が必要になる。
【００５９】
これまでの説明はディスクの引き込まれる場合の前記ディスクローディング装置の動作を示すもので、前記ディスクが排出される場合は、前述した動作と反対動作により前記ディスクが排出されるようにする。
【００６０】
以上の説明は特定の実施例に関するもので、当業者であれば、請求範囲により決められる本発明の思想および領域から逸脱しない範囲内で多様な修正および変形が可能である。
【図面の簡単な説明】
【００６１】
【図１】従来の車両用コンパクトディスクプレーヤーのローディング装置を示す分離斜視図である。
【図２】従来のローディング装置が組み立てられて車両用コンパクトディスクプレーヤーの下部フレームアセンブリに結合された状態を示す斜視図である。
【図３】従来の車両用コンパクトディスクプレーヤーのローディング装置を示す分離斜視図である。
【図４】本発明による車両用コンパクトディスクプレーヤーのローディング装置を示す分離斜視図である。
【図５ａ】本発明によるローラーおよびローラーアームがメインフレームに連結される過程を示す分離斜視図である。
【図５ｂ】図５ａのローラーおよびローラーアームがメインフレームに結合された状態を示す両側面図である。
【図５ｃ】図５ａのローラーおよびローラーアームがメインフレームに結合された状態を示す両側面図である。
【図６】本発明によるローラーアセンブリの分離斜視図である。
【図７ａ】本発明によるローラーブッシングの正面図である。
【図７ｂ】本発明によるローラーブッシングの側面図である。
【図８ａ】前記ローラーブッシングによりローラーアームとローラー軸が結合される過程を示す側面図である。
【図８ｂ】前記ローラーブッシングによりローラーアームとローラー軸が結合される過程を示す側面図である。
【図８ｃ】前記ローラーブッシングによりローラーアームとローラー軸が結合される過程を示す側面図である。
【図９ａ】メインフレームの両端に形成されたレバー部の動作によりローラー軸が駆動される過程を示す側面図である。
【図９ｂ】メインフレームの両端に形成されたレバー部の動作によりローラー軸が駆動される過程を示す側面図である。
【符号の説明】
【００６２】
４０５    ローラー
４０６    ローラー軸
４０７    ローラーアーム
４１４    ラックギヤ
４２０    レバー部
４２１    弾性手段
４２５    ローラーアセンブリ
４２６    固定軸
４２７    結合孔
４２８    長孔
４３０    ローラーブッシング
４３２    側壁
４３３    固定突起
４３４    ローラーブッシング結合部
４３７    スライド孔
４３８    固定突出部
４３９    連結突起
４４０    カム孔
４４１    ラックギヤ結合部
【図１】
2006012372.tif 000003
【図２】
2006012372.tif 000004
【図３】
2006012372.tif 000005
【図４】
2006012372.tif 000006
【図５ａ】
2006012372.tif 000007
【図５ｂ】
2006012372.tif 000008
【図５ｃ】
2006012372.tif 000009
【図６】
2006012372.tif 000010
【図７ａ】
2006012372.tif 000011
【図７ｂ】
2006012372.tif 000012
【図８ａ】
2006012372.tif 000013
【図８ｂ】
2006012372.tif 000014
【図８ｃ】
2006012372.tif 000015
【図９ａ】
2006012372.tif 000016
【図９ｂ】
2006012372.tif 000017